(57)【要約】  一定重量を有する砲弾のヘルメットの内部に、前記砲弾のヘルメットが直接頭部または額部に接することを防止し、着用状態もよくし、夏季に汗の流れを防止するとともに、通風を容易にし、洗浄のための分離時に便宜性を増大させる砲弾のヘルメット用内皮に関するものである。本発明は、半球形浮遊部（１２）のリム部（１２ａ）に固定されるサイズ調節バンド（１４）上に設けられ、使用者の頭部を保護し、額部の汗を吸収する砲弾のヘルメット（１０）用内皮（２０）において、頭部と接触する面が頭部と面接触するように、全体的に流線形を有し、前記半球形浮遊部（１２）のリム部（１２ａ）に掛かるようにエッジ部に定着突部（２１）が形成された頭保護部（２２）と、前記頭保護部（２２）の前側部にそれぞれ独立して多数が縫着され、前記半球形浮遊部１２のリム部１２ａとサイズ調節バンド（１４）との間に設けられ、サイズ調節バンド（１４）に沿って掛かる定着片（２４ａ）と、独立状態の各定着片（２４ａ）間に形成され、外気の通気を容易にする通気空間部（２７）と、を含んでなることを特徴とする。
2007520681.tif 000002
【特許請求の範囲】
【請求項１】
半球形浮遊部（１２）のリム部（１２ａ）に固定されるサイズ調節バンド（１４）上に設けられ、使用者の頭部を保護し、額部の汗を吸収する砲弾のヘルメット（１０）用内皮（２０）において、
頭部と接触する面が頭部と面接触するように、全体的に流線形を有し、前記半球形浮遊部（１２）のリム部（１２ａ）に掛かるようにエッジ部に定着突部（２１）が形成された頭保護部（２２）と、
前記頭保護部（２２）の前側部にそれぞれ独立して多数が縫着され、前記半球形浮遊部１２のリム部１２ａとサイズ調節バンド（１４）との間に設けられ、サイズ調節バンド（１４）に沿って掛かる定着片（２４ａ）と、
独立状態の各定着片（２４ａ）間に形成され、外気の通気を容易にする通気空間部（２７）と、を含んでなることを特徴とする砲弾のヘルメット用内皮。
【請求項２】
前記定着片（２４ａ）の内側面には、汗を吸収するための汗吸収繊維層（２５ａ）が縫着されることを特徴とする、請求項１に記載の砲弾のヘルメット用内皮。
【請求項３】
前記定着片（２４ａ）上には、外圧が加わらない限り、サイズ調節バンド（１４）上に結合状態を維持しして定着される固い材質の結合片２６ａが設けられることを特徴とする、請求項１に記載の砲弾のヘルメット用内皮。
【発明の詳細な説明】
【技術分野】
【０００１】
本発明は砲弾のヘルメット用内皮に係り、より詳しくは、一定重量を有する砲弾のヘルメットの内部に、前記砲弾のヘルメットが直接頭部または額部に接することを防止し、着用状態も良好にし、夏季に汗の流れを防止するとともに、通気を容易にし、洗浄のための分離時に便宜性を増大させる砲弾のヘルメット用内皮に関するものである。
【背景技術】
【０００２】
一般に、軍人たちが、主に訓練、駆け足および射撃の際、安全事故の脅かしから保護するために、砲弾のヘルメットを着用する。
【０００３】
従来の砲弾のヘルメットは特殊ケブラープラスチック素材を多重に積層して製造するが、着用したとき、頭部に重圧感を感じるほどに重量が大きい。
【０００４】
また、砲弾のヘルメット１００は、図１に示すように、その内部には、砲弾のヘルメットの着用時、砲弾のヘルメットが直接頭部に接触しなく、その重量を分散するために、繊維からなった半球形浮遊部１１０が設けられ、前記半球形浮遊帯１１０の内側面には、使用者の頭部のサイズに応じて着用状態を調節することができるサイズ調節用バンド１２０が取り付けられる。前記サイズ調節用バンド１２０は、等間隔に配置される固定クリップ１３０により固定されている。
【０００５】
しかし、前記半球形浮遊部は、図示のように、その形態が頭部に全く接触する形態でなく、頭部に局部的に接触する帯型であるため、時間が経つと、砲弾のヘルメットの重量を均等に分散させることができなく、接触部位が髪の毛または頭皮膚を圧迫して疲労感を加重させる原因となり、しかも暑い夏季の駆け足および射撃の際、額部または頭部の皮膚から発生した汗が顔面に流れて訓練を妨害する要因として作用し、前記サイズ調節用バンドがあっても、頭部に正確に固定されなくて前後左右に遊動するか移動する問題点があった。
【０００６】
大韓民国登録実用新案第２０−２６４５５２号は前記のような問題点を解決するための内皮を開示している。図２ａおよび図２ｂを参照してその構成を説明すると次のようである。
【０００７】
このような従来の内皮は、平面を有する円形の頭保護部２００と、使用者の額が位置する前記頭保護部２００の下側一部に沿って直交するように縫着され、流れる汗を吸収する汗吸収部２１０とからなる。
【０００８】
前記汗吸収部２１０には、図１の砲弾のヘルメット１００の半球形浮遊部１１０のリム部１１０ａに固定できるように、マジックテープ（登録商標）２２０ａ、２２０ｂが接着されている接着片２３０が多数設けられる。前記頭保護部２００は、何の定着手段もなしに、単に半球形浮遊部１１０に置かれた状態にある。
【０００９】
しかし、一体になった従来の頭保護部および汗吸収部において、まず頭保護部は、半球形浮遊部に固定させるための定着手段なしで、ただ平らな円形になっているため、砲弾のヘルメットを立てた状態では、位置が固定されなく遊動することになる問題点があり、また汗吸収部は半球形浮遊部の前側部をマジックテープ（登録商標）により取り囲む形態になっているため、位置固定は容易であるが、前記半球形浮遊部のエッジ部と砲弾のヘルメットとの間に空間がほとんど設けられていないため、洗浄のための汗吸収部の分離時、マジックテープ（登録商標）の接着状態を解除することが容易でない問題点があり、また前記汗吸収部が外気の通気のできない一字形になっているため、暑い夏季に保温効果により、却って汗の発散を増大させる要因として作用した。
【発明の開示】
【発明が解決しようとする課題】
【００１０】
したがって、本発明は前記のような諸般問題点を解決するためになされたもので、その目的は、一定重量を有する砲弾のヘルメットの内部に、前記砲弾のヘルメットが直接頭部または額部に接触することを防止し、着用状態を良好にし、夏季に汗が流れることを防止するとともに、通気を容易にし、洗浄のための分離時に便宜性を増大させる砲弾のヘルメット用内皮を提供することにある。
【課題を解決するための手段】
【００１１】
前記目的を達成するため、本発明は、半球形浮遊部のリム部に固定されるサイズ調節バンド上に設けられ、使用者の頭部を保護し、額部の汗を吸収する砲弾のヘルメット用内皮において、
頭部と接触する面が頭部と面接触するように、全体的に流線形を有し、前記半球形浮遊部のリム部に掛かるようにエッジ部に定着突部が形成された頭保護部と、
前記頭保護部の前側部にそれぞれ独立して多数が縫着され、前記半球形浮遊部のリム部とサイズ調節バンドとの間に設けられ、サイズ調節バンドに沿って掛かる定着片と、
独立状態の各定着片間に形成され、外気の通気を容易にする通気空間部とを含んでなる砲弾のヘルメット用内皮を提供する。
【発明の効果】
【００１２】
本発明は、従来のマジックテープ（登録商標）のように強制接着方式でなく、単純掛かり方式により半球形浮遊部にかかるように構成したので、無理やりに除去しない限り、離脱しないだけでなく、洗浄時に簡単な引抜力により掛かり状態が解除されるので、使用上の便宜性が極大化される。
【００１３】
また、本発明の内皮は、汗を吸収する機能だけでなく通気の機能も同時に具現するように設計したので、特に、訓練の頻繁な軍人たちに必須なものである。
【発明を実施するための最良の形態】
【００１４】
以下、本発明の実施例を添付図面に基づいてより詳細に説明する。
【００１５】
図３は本発明による砲弾のヘルメット用内皮の装着装置を示す分解斜視図、図４は本発明による砲弾のヘルメット用内皮の斜視図、図５は本発明による砲弾のヘルメット用内皮が砲弾のヘルメットの半球形浮遊部に結合された状態を示す平面図、図６は本発明による砲弾のヘルメット用内皮が装着された状態を示す側断面図および要部拡大図である。
【００１６】
本発明の内皮２０は、半球形浮遊部１２のリム部１２ａに固定されるサイズ調節バンド１４上に取り付けられ、頭部を保護するとともに額部の汗を吸収する。
【００１７】
この内皮は、頭部と接触する面が頭部と面接触するように、全体的に流線形を有し、前記半球形浮遊部のリム部に掛かるように、エッジ部に定着突部２１を含む。
【００１８】
本発明による前記頭保護部２２は、使用上の便宜性と着用感およびクッションを向上させるため、衣類および各種の材料からラミネート法（ゴムまたはスポンジのようなクッション用発泡樹脂などの製品に必要な織物を片面または両面に接着させること）により構成される。
【００１９】
また、前記頭保護部２２の前側部には、それぞれ独立して縫着され、前記半球形浮遊部１２のリム部１２ａとサイズ調節バンド１４との間に介在され、サイズ調節バンド１４にかかるように定着肩２４ａが設けられる。
【００２０】
また、独立状態の定着片２４ａ間に形成され、外気の通気を容易にする通気空間部２７が設けられる。
【００２１】
一方、前記定着肩２４ａの内側面には、汗を吸収するための汗吸収繊維層２５ａが縫着される。
【００２２】
また、前記定着片２４ａの内面には、外圧が加わらない限り、サイズ調節バンド１４上に結合状態を維持して定着される固い材質の結合片２６ａが縫着される。
【００２３】
このように構成される本発明の作動状態を説明する。
【００２４】
本発明の設置過程を説明するに先立ち、砲弾のヘルメット１０の内部に設けられる半球形浮遊部１２およびサイズ調節バンド１４の設置状態を本発明に直接関連する部分でないので、その詳細な説明は省略する。半球形浮遊部１２は砲弾のヘルメット１０の内側部に固定され、サイズ調節バンド１４は、等間隔に配設される固定クリップ１５により、前記半球形浮遊部１２の円形リム部１２ａに対向して取り付けられる。したがって、ヒトの手により広げられるとき、半球形浮遊部１２のリム部１２ａとサイズ調節バンド１４との間には前記固定クリップ１５を基点として一定の空間部が形成される。
【００２５】
装着片２４ａを下部から上向きに折り曲げてこの空間部に押し込むと、装着片２４ａの側面上に縫着された固い材質の結合片２６ａが半球形浮遊部１２とサイズ調節バンド１４との間に位置するので、無理やりに引き抜かない限り、常に定着状態が維持され、易しく離脱されない。
【００２６】
その後、頭保護部２２のエッジ部に突設された定着突部２１を半球形浮遊部１２のリム部１２ａに掛けることで、設置過程が簡単に終了される。
【００２７】
この状態で、使用者（軍人）が砲弾のヘルメット１０を頭部に着用すると、頭保護部２２が着用者の頭部全体を収容して面接触するように流線形に形成されることにより、楽な着用感を提供し、また装着片２４ａの内側に縫着された繊維層２５ａが額部に接触して、発散された汗を吸収する役割をするとともに、前記装着片２４ａ間には通気空間部２７が設けられているので、訓練、駆け足、および射撃の際、発散される汗を通気させて外部へ排出させる役割をする。
【００２８】
一方、このような本発明の内皮２０を洗浄するために、砲弾のヘルメット１０から分離しようとする場合、強制接着方式でないため、頭保護部２２の一部を握って少し引っ張ると、易しく離脱される。
【００２９】
また、洗浄の際、従来のマジックテープ（登録商標）は自損を被るかまたはほかの洗濯物に損傷を与える問題点があるが、本発明の内皮はこのような問題点が全く発生しない。
【産業上の利用の可能性】
【００３０】
前述したように、本発明は、従来のマジックテープ（登録商標）のように強制接着方式でなく、単純掛かり方式により半球形浮遊部にかかるように構成したので、無理やりに除去しない限り、離脱しないだけでなく、洗浄時に簡単な引抜力により掛かり状態が解除されるので、使用上の便宜性が極大化される。
【００３１】
また、本発明の内皮は、汗を吸収する機能だけでなく通気の機能も同時に具現するように設計したので、特に、訓練の頻繁な軍人たちに必須なものである。
【図面の簡単な説明】
【００３２】
【図１】従来の砲弾のヘルメットの構成を示す分離斜視図である。
【図２】（ａ）および（ｂ）は従来の砲弾のヘルメット用内皮を拡大して示す斜視図および正面図である。
【図３】本発明による砲弾のヘルメット用内皮の装着装置を示す分解斜視図である。
【図４】本発明による砲弾のヘルメット用内皮の斜視図である。
【図５】本発明による砲弾のヘルメット用内皮が砲弾のヘルメットの半球形浮遊部に結合された状態を示す平面図である。
【図６】本発明による砲弾のヘルメット用内皮が装着された状態を示す側断面図および要部拡大図である。
【図１】
2007520681.tif 000003
【図２】
2007520681.tif 000004
【図３】
2007520681.tif 000005
【図４】
2007520681.tif 000006
【図５】
2007520681.tif 000007
【図６】
2007520681.tif 000008
【手続補正書】
【提出日】平成18年4月27日(2006.4.27)
【手続補正１】
【補正対象書類名】特許請求の範囲
【補正対象項目名】全文
【補正方法】変更
【補正の内容】
【特許請求の範囲】
【請求項１】
半球形浮遊部（１２）のリム部（１２ａ）に固定されるサイズ調節バンド（１４）上に設けられ、使用者の頭部を保護し、額部の汗を吸収するヘルメット（１０）用内皮（２０）において、
頭部と接触する面が頭部と面接触するように、全体的に流線形を有し、前記半球形浮遊部（１２）のリム部（１２ａ）に掛かるようにエッジ部に定着突部（２１）が形成された頭保護部（２２）と、
前記頭保護部（２２）の前側部にそれぞれ独立して多数が縫着され、前記半球形浮遊部１２のリム部１２ａとサイズ調節バンド（１４）との間に設けられ、サイズ調節バンド（１４）に沿って掛かる定着片（２４ａ）と、
独立状態の各定着片（２４ａ）間に形成され、外気の通気を容易にする通気空間部（２７）と、を含んでなることを特徴とするヘルメット用内皮。
【請求項２】
前記定着片（２４ａ）の内側面には、汗を吸収するための汗吸収繊維層（２５ａ）が縫着されることを特徴とする、請求項１に記載のヘルメット用内皮。
【請求項３】
前記定着片（２４ａ）上には、外圧が加わらない限り、サイズ調節バンド（１４）上に結合状態を維持しして定着される固い材質の結合片２６ａが設けられることを特徴とする、請求項１に記載のヘルメット用内皮。
【手続補正２】
【補正対象書類名】明細書
【補正対象項目名】全文
【補正方法】変更
【補正の内容】
【発明の詳細な説明】
【技術分野】
【０００１】
本発明はヘルメット用内皮に係り、より詳しくは、一定重量を有するヘルメットの内部に、前記ヘルメットが直接頭部または額部に接することを防止し、着用状態も良好にし、夏季に汗の流れを防止するとともに、通気を容易にし、洗浄のための分離時に便宜性を増大させるヘルメット用内皮に関するものである。
【背景技術】
【０００２】
一般に、軍人たちが、主に訓練、駆け足および射撃の際、安全事故の脅かしから保護するために、ヘルメットを着用する。
【０００３】
従来のヘルメットは特殊ケブラープラスチック素材を多重に積層して製造するが、着用したとき、頭部に重圧感を感じるほどに重量が大きい。
【０００４】
また、ヘルメット１００は、図１に示すように、その内部には、ヘルメットの着用時、ヘルメットが直接頭部に接触しなく、その重量を分散するために、繊維からなった半球形浮遊部１１０が設けられ、前記半球形浮遊帯１１０の内側面には、使用者の頭部のサイズに応じて着用状態を調節することができるサイズ調節用バンド１２０が取り付けられる。前記サイズ調節用バンド１２０は、等間隔に配置される固定クリップ１３０により固定されている。
【０００５】
しかし、前記半球形浮遊部は、図示のように、その形態が頭部に全く接触する形態でなく、頭部に局部的に接触する帯型であるため、時間が経つと、ヘルメットの重量を均等に分散させることができなく、接触部位が髪の毛または頭皮膚を圧迫して疲労感を加重させる原因となり、しかも暑い夏季の駆け足および射撃の際、額部または頭部の皮膚から発生した汗が顔面に流れて訓練を妨害する要因として作用し、前記サイズ調節用バンドがあっても、頭部に正確に固定されなくて前後左右に遊動するか移動する問題点があった。
【０００６】
大韓民国登録実用新案第２０−２６４５５２号は前記のような問題点を解決するための内皮を開示している。図２ａおよび図２ｂを参照してその構成を説明すると次のようである。
【０００７】
このような従来の内皮は、平面を有する円形の頭保護部２００と、使用者の額が位置する前記頭保護部２００の下側一部に沿って直交するように縫着され、流れる汗を吸収する汗吸収部２１０とからなる。
【０００８】
前記汗吸収部２１０には、図１のヘルメット１００の半球形浮遊部１１０のリム部１１０ａに固定できるように、マジックテープ（登録商標）２２０ａ、２２０ｂが接着されている接着片２３０が多数設けられる。前記頭保護部２００は、何の定着手段もなしに、単に半球形浮遊部１１０に置かれた状態にある。
【０００９】
しかし、一体になった従来の頭保護部および汗吸収部において、まず頭保護部は、半球形浮遊部に固定させるための定着手段なしで、ただ平らな円形になっているため、ヘルメットを立てた状態では、位置が固定されなく遊動することになる問題点があり、また汗吸収部は半球形浮遊部の前側部をマジックテープ（登録商標）により取り囲む形態になっているため、位置固定は容易であるが、前記半球形浮遊部のエッジ部とヘルメットとの間に空間がほとんど設けられていないため、洗浄のための汗吸収部の分離時、マジックテープ（登録商標）の接着状態を解除することが容易でない問題点があり、また前記汗吸収部が外気の通気のできない一字形になっているため、暑い夏季に保温効果により、却って汗の発散を増大させる要因として作用した。
【発明の開示】
【発明が解決しようとする課題】
【００１０】
したがって、本発明は前記のような諸般問題点を解決するためになされたもので、その目的は、一定重量を有するヘルメットの内部に、前記ヘルメットが直接頭部または額部に接触することを防止し、着用状態を良好にし、夏季に汗が流れることを防止するとともに、通気を容易にし、洗浄のための分離時に便宜性を増大させるヘルメット用内皮を提供することにある。
【課題を解決するための手段】
【００１１】
前記目的を達成するため、本発明は、半球形浮遊部のリム部に固定されるサイズ調節バンド上に設けられ、使用者の頭部を保護し、額部の汗を吸収するヘルメット用内皮において、
頭部と接触する面が頭部と面接触するように、全体的に流線形を有し、前記半球形浮遊部のリム部に掛かるようにエッジ部に定着突部が形成された頭保護部と、
前記頭保護部の前側部にそれぞれ独立して多数が縫着され、前記半球形浮遊部のリム部とサイズ調節バンドとの間に設けられ、サイズ調節バンドに沿って掛かる定着片と、
独立状態の各定着片間に形成され、外気の通気を容易にする通気空間部とを含んでなるヘルメット用内皮を提供する。
【発明の効果】
【００１２】
本発明は、従来のマジックテープ（登録商標）のように強制接着方式でなく、単純掛かり方式により半球形浮遊部にかかるように構成したので、無理やりに除去しない限り、離脱しないだけでなく、洗浄時に簡単な引抜力により掛かり状態が解除されるので、使用上の便宜性が極大化される。
【００１３】
また、本発明の内皮は、汗を吸収する機能だけでなく通気の機能も同時に具現するように設計したので、特に、訓練の頻繁な軍人たちに必須なものである。
【発明を実施するための最良の形態】
【００１４】
以下、本発明の実施例を添付図面に基づいてより詳細に説明する。
【００１５】
図３は本発明によるヘルメット用内皮の装着装置を示す分解斜視図、図４は本発明によるヘルメット用内皮の斜視図、図５は本発明によるヘルメット用内皮がヘルメットの半球形浮遊部に結合された状態を示す平面図、図６は本発明によるヘヘルメット用内皮が装着された状態を示す側断面図および要部拡大図である。
【００１６】
本発明の内皮２０は、半球形浮遊部１２のリム部１２ａに固定されるサイズ調節バンド１４上に取り付けられ、頭部を保護するとともに額部の汗を吸収する。
【００１７】
この内皮は、頭部と接触する面が頭部と面接触するように、全体的に流線形を有し、前記半球形浮遊部のリム部に掛かるように、エッジ部に定着突部２１を含む。
【００１８】
本発明による前記頭保護部２２は、使用上の便宜性と着用感およびクッションを向上させるため、衣類および各種の材料からラミネート法（ゴムまたはスポンジのようなクッション用発泡樹脂などの製品に必要な織物を片面または両面に接着させること）により構成される。
【００１９】
また、前記頭保護部２２の前側部には、それぞれ独立して縫着され、前記半球形浮遊部１２のリム部１２ａとサイズ調節バンド１４との間に介在され、サイズ調節バンド１４にかかるように定着肩２４ａが設けられる。
【００２０】
また、独立状態の定着片２４ａ間に形成され、外気の通気を容易にする通気空間部２７が設けられる。
【００２１】
一方、前記定着肩２４ａの内側面には、汗を吸収するための汗吸収繊維層２５ａが縫着される。
【００２２】
また、前記定着片２４ａの内面には、外圧が加わらない限り、サイズ調節バンド１４上に結合状態を維持して定着される固い材質の結合片２６ａが縫着される。
【００２３】
このように構成される本発明の作動状態を説明する。
【００２４】
本発明の設置過程を説明するに先立ち、ヘルメット１０の内部に設けられる半球形浮遊部１２およびサイズ調節バンド１４の設置状態を本発明に直接関連する部分でないので、その詳細な説明は省略する。半球形浮遊部１２はヘルメット１０の内側部に固定され、サイズ調節バンド１４は、等間隔に配設される固定クリップ１５により、前記半球形浮遊部１２の円形リム部１２ａに対向して取り付けられる。したがって、ヒトの手により広げられるとき、半球形浮遊部１２のリム部１２ａとサイズ調節バンド１４との間には前記固定クリップ１５を基点として一定の空間部が形成される。
【００２５】
装着片２４ａを下部から上向きに折り曲げてこの空間部に押し込むと、装着片２４ａの側面上に縫着された固い材質の結合片２６ａが半球形浮遊部１２とサイズ調節バンド１４との間に位置するので、無理やりに引き抜かない限り、常に定着状態が維持され、易しく離脱されない。
【００２６】
その後、頭保護部２２のエッジ部に突設された定着突部２１を半球形浮遊部１２のリム部１２ａに掛けることで、設置過程が簡単に終了される。
【００２７】
この状態で、使用者（軍人）がヘルメット１０を頭部に着用すると、頭保護部２２が着用者の頭部全体を収容して面接触するように流線形に形成されることにより、楽な着用感を提供し、また装着片２４ａの内側に縫着された繊維層２５ａが額部に接触して、発散された汗を吸収する役割をするとともに、前記装着片２４ａ間には通気空間部２７が設けられているので、訓練、駆け足、および射撃の際、発散される汗を通気させて外部へ排出させる役割をする。
【００２８】
一方、このような本発明の内皮２０を洗浄するために、ヘルメット１０から分離しようとする場合、強制接着方式でないため、頭保護部２２の一部を握って少し引っ張ると、易しく離脱される。
【００２９】
また、洗浄の際、従来のマジックテープ（登録商標）は自損を被るかまたはほかの洗濯物に損傷を与える問題点があるが、本発明の内皮はこのような問題点が全く発生しない。
【産業上の利用の可能性】
【００３０】
前述したように、本発明は、従来のマジックテープ（登録商標）のように強制接着方式でなく、単純掛かり方式により半球形浮遊部にかかるように構成したので、無理やりに除去しない限り、離脱しないだけでなく、洗浄時に簡単な引抜力により掛かり状態が解除されるので、使用上の便宜性が極大化される。
【００３１】
また、本発明の内皮は、汗を吸収する機能だけでなく通気の機能も同時に具現するように設計したので、特に、訓練の頻繁な軍人たちに必須なものである。
【図面の簡単な説明】
【００３２】
【図１】従来のヘルメットの構成を示す分離斜視図である。
【図２】（ａ）および（ｂ）は従来のヘルメット用内皮を拡大して示す斜視図および正面図である。
【図３】本発明によるヘルメット用内皮の装着装置を示す分解斜視図である。
【図４】本発明によるヘルメット用内皮の斜視図である。
【図５】本発明によるヘルメット用内皮が砲弾のヘルメットの半球形浮遊部に結合された状態を示す平面図である。
【図６】本発明によるヘルメット用内皮が装着された状態を示す側断面図および要部拡大図である。
【手続補正書】
【提出日】平成18年7月11日(2006.7.11)
【手続補正１】
【補正対象書類名】特許請求の範囲
【補正対象項目名】全文
【補正方法】変更
【補正の内容】
【特許請求の範囲】
【請求項１】
半球形浮遊部（１２）のリム部（１２ａ）に固定されるサイズ調節バンド（１４）上に設けられ、使用者の頭部を保護し、額部の汗を吸収するヘルメット（１０）用内皮（２０）において、
頭部と接触する面が頭部と面接触するように、全体的に流線形を有し、前記半球形浮遊部（１２）のリム部（１２ａ）に掛かるようにエッジ部に定着突部（２１）が形成された頭保護部（２２）と、
前記頭保護部（２２）の前側部にそれぞれ独立して多数が縫着され、前記半球形浮遊部（１２）のリム部（１２ａ）とサイズ調節バンド（１４）との間に設けられ、サイズ調節バンド（１４）に沿って掛かる定着片（２４ａ）と、
独立状態の各定着片（２４ａ）間に形成され、外気の通気を容易にする通気空間部（２７）と、を含んでなることを特徴とするヘルメット用内皮。
【請求項２】
前記定着片（２４ａ）の内側面には、汗を吸収するための汗吸収繊維層（２５ａ）が縫着されることを特徴とする、請求項１に記載のヘルメット用内皮。
【請求項３】
前記定着片（２４ａ）上には、外圧が加わらない限り、サイズ調節バンド（１４）上に結合状態を維持しして定着される固い材質の結合片（２６ａ）が設けられることを特徴とする、請求項１に記載のヘルメット用内皮。
【手続補正２】
【補正対象書類名】明細書
【補正対象項目名】全文
【補正方法】変更
【補正の内容】
【発明の詳細な説明】
【技術分野】
【０００１】
本発明はヘルメット用内皮に係り、より詳しくは、一定重量を有するヘルメットの内部に、前記ヘルメットが直接頭部または額部に接することを防止し、着用状態も良好にし、夏季に汗の流れを防止するとともに、通気を容易にし、洗浄のための分離時に便宜性を増大させるヘルメット用内皮に関するものである。
【背景技術】
【０００２】
一般に、軍人や勤労者が、主に訓練、駆け足および射撃と現場作業時、安全事故の危険から保護するために、ヘルメットを着用する。
【０００３】
従来のヘルメットは特殊ケブラープラスチック素材を多重に積層して製造するが、着用したとき、頭部に重圧感を感じるほどに重量が大きい。
【０００４】
また、ヘルメット１００は、図１に示すように、その内部には、ヘルメットの着用時、ヘルメットが直接頭部に接触しなく、その重量を分散するために、繊維からなった半球形浮遊部１１０が設けられ、前記半球形浮遊帯１１０の内側面には、使用者の頭部のサイズに応じて着用状態を調節することができるサイズ調節用バンド１２０が取り付けられる。前記サイズ調節用バンド１２０は、等間隔に配置される固定クリップ１３０により固定されている。
【０００５】
しかし、前記半球形浮遊部は、図示のように、その形態が頭部に全く接触する形態でなく、頭部に局部的に接触する帯型であるため、時間が経つと、ヘルメットの重量を均等に分散させることができなく、接触部位が髪の毛または頭皮膚を圧迫して疲労感を加重させる原因となり、しかも暑い夏季の駆け足および射撃や作業の際、額部または頭部の皮膚から発生した汗が顔面に流れて訓練や作業を妨害する要因として作用し、前記サイズ調節用バンドがあっても、頭部に正確に固定されなくて前後左右に遊動するか移動する問題点があった。
【０００６】
大韓民国登録実用新案第２０−２６４５５２号は前記のような問題点を解決するための内皮を開示している。図２ａおよび図２ｂを参照してその構成を説明すると次のようである。
【０００７】
このような従来の内皮は、平面を有する円形の頭保護部２００と、使用者の額が位置する前記頭保護部２００の下側一部に沿って直交するように縫着され、流れる汗を吸収する汗吸収部２１０とからなる。
【０００８】
前記汗吸収部２１０には、図１のヘルメット１００の半球形浮遊部１１０のリム部１１０ａに固定できるように、マジックテープ（登録商標）２２０ａ、２２０ｂが接着されている接着片２３０が多数設けられる。前記頭保護部２００は、何の定着手段もなしに、単に半球形浮遊部１１０に置かれた状態にある。
【０００９】
しかし、一体になった従来の頭保護部および汗吸収部において、まず頭保護部は、半球形浮遊部に固定させるための定着手段なしで、ただ平らな円形になっているため、ヘルメットを立てた状態では、位置が固定されなく遊動することになる問題点があり、また汗吸収部は半球形浮遊部の前側部をマジックテープ（登録商標）により取り囲む形態になっているため、位置固定は容易であるが、前記半球形浮遊部のエッジ部とヘルメットとの間に空間がほとんど設けられていないため、洗浄のための汗吸収部の分離時、マジックテープ（登録商標）の接着状態を解除することが容易でない問題点があり、また前記汗吸収部が外気の通気のできない一字形になっているため、暑い夏季に保温効果により、却って汗の発散を増大させる要因として作用した。
【発明の開示】
【発明が解決しようとする課題】
【００１０】
したがって、本発明は前記のような諸般問題点を解決するためになされたもので、その目的は、一定重量を有するヘルメットの内部に、前記ヘルメットが直接頭部または額部に接触することを防止し、着用状態を良好にし、夏季に汗が流れることを防止するとともに、通気を容易にし、洗浄のための分離時に便宜性を増大させるヘルメット用内皮を提供することにある。
【課題を解決するための手段】
【００１１】
前記目的を達成するため、本発明は、半球形浮遊部のリム部に固定されるサイズ調節バンド上に設けられ、使用者の頭部を保護し、額部の汗を吸収するヘルメット用内皮において、
頭部と接触する面が頭部と面接触するように、全体的に流線形を有し、前記半球形浮遊部のリム部に掛かるようにエッジ部に定着突部が形成された頭保護部と、
前記頭保護部の前側部にそれぞれ独立して多数が縫着され、前記半球形浮遊部のリム部とサイズ調節バンドとの間に設けられ、サイズ調節バンドに沿って掛かる定着片と、
独立状態の各定着片間に形成され、外気の通気を容易にする通気空間部とを含んでなるヘルメット用内皮を提供する。
【発明の効果】
【００１２】
本発明は、従来のマジックテープ（登録商標）のように強制接着方式でなく、単純掛かり方式により半球形浮遊部にかかるように構成したので、無理やりに除去しない限り、離脱しないだけでなく、洗浄時に簡単な引抜力により掛かり状態が解除されるので、使用上の便宜性が極大化される。
【００１３】
また、本発明の内皮は、汗を吸収する機能だけでなく通気の機能も同時に実現するように設計したので、特に、訓練の頻繁な軍人や勤労者に必須なものである。
【発明を実施するための最良の形態】
【００１４】
以下、本発明の実施例を添付図面に基づいてより詳細に説明する。
【００１５】
図３は本発明によるヘルメット用内皮の装着装置を示す分解斜視図、図４は本発明によるヘルメット用内皮の斜視図、図５は本発明によるヘルメット用内皮がヘルメットの半球形浮遊部に結合された状態を示す平面図、図６は本発明によるヘヘルメット用内皮が装着された状態を示す側断面図および要部拡大図である。
【００１６】
本発明の内皮２０は、半球形浮遊部１２のリム部１２ａに固定されるサイズ調節バンド１４上に取り付けられ、頭部を保護するとともに額部の汗を吸収する。
【００１７】
この内皮は、頭部と接触する面が頭部と面接触するように、全体的に流線形を有し、前記半球形浮遊部１２のリム部１２ａに掛かるように、エッジ部に定着突部２１が形成された頭保護部２２が備えられる。
本発明による前記頭保護部２２は、使用上の便宜性と着用感およびクッションを向上させるため、衣類および各種の材料からラミネート法（ゴムまたはスポンジのようなクッション用発泡樹脂などの製品に必要な織物を片面または両面に接着させること）により構成される。
【００１８】
また、前記頭保護部２２の前側部には、それぞれ独立して縫着され、固定クリップ１５により前記半球形浮遊部１２のリム部１２ａとサイズ調節バンド１４との間に介在され、サイズ調節バンド１４にかかるように定着片２４ａが設けられる。
【００１９】
また、独立状態の定着片２４ａ間に形成され、外気の通気を容易にする通気空間部２７が設けられる。
【００２０】
一方、前記定着肩２４ａの内側面には、汗を吸収するための汗吸収繊維層２５ａが縫着される。
【００２１】
また、前記定着片２４ａの内面には、外圧が加わらない限り、サイズ調節バンド１４上に結合状態を維持して定着される固い材質の結合片２６ａが縫着される。
【００２２】
このように構成される本発明の作動状態を説明する。
【００２３】
本発明の設置過程を説明するに先立ち、ヘルメット１０の内部に設けられる半球形浮遊部１２およびサイズ調節バンド１４の設置状態を本発明に直接関連する部分でないので、その詳細な説明は省略する。半球形浮遊部１２はヘルメット１０の内側部に固定され、サイズ調節バンド１４は、等間隔に配設される固定クリップ１５により、前記半球形浮遊部１２の円形リム部１２ａに対向して取り付けられる。したがって、ヒトの手により広げられるとき、半球形浮遊部１２のリム部１２ａとサイズ調節バンド１４との間には前記固定クリップ１５を基点として一定の空間部が形成される。
【００２４】
装着片２４ａを下部から上向きに折り曲げてこの空間部に押し込むと、装着片２４ａの側面上に縫着された固い材質の結合片２６ａが半球形浮遊部１２とサイズ調節バンド１４との間に位置するので、無理やりに引き抜かない限り、常に定着状態が維持され、易しく離脱されない。
【００２５】
その後、頭保護部２２のエッジ部に突設された定着突部２１を半球形浮遊部１２のリム部１２ａに掛けることで、設置過程が簡単に終了される。
【００２６】
この状態で、使用者（軍人や勤労者）がヘルメット１０を頭部に着用すると、頭保護部２２が着用者の頭部全体を収容して面接触するように流線形に形成されることにより、楽な着用感を提供し、また定着片２４ａの内側に縫着された繊維層２５ａが額部に接触して、発散された汗を吸収する役割をするとともに、前記定着片２４ａ間には通気空間部２７が設けられているので、訓練、駆け足、および射撃や現場作業時、発散される汗を通気させて外部へ排出させる役割をする。
【００２７】
一方、このような本発明の内皮２０を洗浄するために、ヘルメット１０から分離しようとする場合、強制接着方式でないため、頭保護部２２の一部を握って少し引っ張ると、易しく離脱される。
【００２８】
また、洗浄の際、従来のマジックテープ（登録商標）は自損を被るかまたはほかの洗濯物に損傷を与える問題点があるが、本発明の内皮はこのような問題点が全く発生しない。
【産業上の利用の可能性】
【００２９】
前述したように、本発明は、従来のマジックテープ（登録商標）のように強制接着方式でなく、単純掛かり方式により半球形浮遊部にかかるように構成したので、無理やりに除去しない限り、離脱しないだけでなく、洗浄時に簡単な引抜力により掛かり状態が解除されるので、使用上の便宜性が極大化される。
【００３０】
また、本発明の内皮は、汗を吸収する機能だけでなく、吸収や通気の機能も同時に実現するように設計したので、特に、訓練の頻繁な軍人や勤労者に必須なものである。
【図面の簡単な説明】
【００３１】
【図１】従来のヘルメットの構成を示す分離斜視図である。
【図２】（ａ）および（ｂ）は従来のヘルメット用内皮を拡大して示す斜視図および正面図である。
【図３】本発明によるヘルメット用内皮の装着装置を示す分解斜視図である。
【図４】本発明によるヘルメット用内皮の斜視図である。
【図５】本発明によるヘルメット用内皮が砲弾のヘルメットの半球形浮遊部に結合された状態を示す平面図である。
【図６】本発明によるヘルメット用内皮が装着された状態を示す側断面図および要部拡大図である。
【国際調査報告】
2007520681.tif 000009